(57)【要約】【課題】表示させたい方の光源を発光させたとき、表示したくない方の情報が重なって表示されることがない表示装置を提供する。【解決手段】本発明の表示装置は、主面１ａと、底面１ｂと、第１，第２側面１ｃ、１ｄと、を有し、底面１ｂに、第１側面１ｃから入射した光を主面１ａ側に向かって反射する傾斜面が形成された第１反射プリズム４と、第２側面１ｄから入射した光を主面１ａの側に向かって反射する傾斜面が形成された第２反射プリズム５と、が形成された導光板１と、導光板１の第１側面１ｃに光を入射する第１光源２と、導光板１の第２側面１ｄに光を入射する第２光源３と、導光板１の主面１ａの側に配置された透光部１１と、が設けられ、第１反射プリズム４の前記傾斜面の長手方向が、第２光源３と第１反射プリズム４の前記傾斜面とを結ぶ線と平行または略平行である。【選択図】図１
2019096597.tif 000002
【特許請求の範囲】
【請求項１】
主面と、この主面に対向した底面と、前記主面と前記底面との間に形成された第１，第２側面と、を有し、前記底面に、前記第１側面から入射した光を前記主面の側に向かって反射する傾斜面が形成された第１反射プリズムと、前記第２側面から入射した光を前記主面の側に向かって反射する傾斜面が形成された第２反射プリズムと、が形成された導光板と、
前記導光板の前記第１側面に光を入射する第１光源と、
前記導光板の前記第２側面に光を入射する第２光源と、
前記導光板の前記主面の側に配置され、前記主面からの出射光を透過させ散乱させる透光部と、
が設けられ、
前記第１反射プリズムの前記傾斜面の長手方向が、前記第２光源と前記第１反射プリズムの前記傾斜面とを結ぶ線と平行または略平行である表示装置。
【請求項２】
前記第２反射プリズムの前記傾斜面の長手方向が、前記第１光源と前記第２反射プリズムの前記傾斜面を結ぶ線と平行または略平行である、請求項１記載の表示装置。
【請求項３】
前記反射プリズム群の幅をＷｐ、前記反射プリズム群に対応する前記光源の幅をＷｏとし、前記反射プリズムの前記傾斜面の長手方向と、前記反射プリズムの前記傾斜面の中心点と前記反射プリズムに対応しない方の前記光源の発光部の端の点とを結ぶ線分の方向とのなす角度をθｐとしたとき、Ｗｏ／Ｗｐ≦１／４、｜θｐ｜≦３０°を満たすことを特徴とする、請求項１または２記載の表示装置。
【請求項４】
前記第１，第２反射プリズムの断面形状が、三角形あるいは台形形状であり、光を反射する面と前記導光板の前記底面との角度をθａ、前記第１，第２反射プリズムの側面と前記導光板の底面との角度をθｃとすると、θａ＜ θｃ を満たすことを特徴とする、請求項１から３記載のいずれか一項に記載の表示装置。
【請求項５】
前記角度θｃが、θｃ ＜ ９０°を満たすことを特徴とする、請求項４記載の表示装置。
【請求項６】
前記角度θａが、３５°＜ θａ ＜６５°を満たすことを特徴とする、請求項４記載の表示装置。
【請求項７】
前記略平行は、３０°以下であることを特徴とする、
請求項１から３のいずれか一項に記載の表示装置。
【請求項８】
前記導光板の前記第１側面とこれに隣接した前記第２側面が互いに直交していることを特徴とする、請求項１から３のいずれか一項に記載の表示装置。
【請求項９】
前記導光板において、前記第１光源と第２光源を結ぶ線上に、前記第１，第２反射プリズムを設置しないことを特徴とする、請求項１から３いずれか一項に記載の表示装置。
【請求項１０】
主面と、この主面に対向した底面と、前記主面と前記底面との間に形成された側面と、を有し、前記底面に、前記側面から入射した光を前記主面の側に向かって反射する傾斜面が形成された反射プリズムが形成された導光板と、
前記導光板の前記側面に互いに異なる角度で光を入射する第１，第２光源と、
前記導光板の前記主面の側に配置され前記主面からの出射光を透過させ散乱させる透光部と、
が設けられ、
前記導光板の前記反射プリズムは、
前記１光源から入射した光を前記傾斜面で前記導光板の前記主面の側に反射する第１反射プリズムと、
前記２光源から入射した光を前記傾斜面で前記導光板の前記主面の側に反射する第２反射プリズムと、
を有し、
前記第１反射プリズムの傾斜面の長手方向が、前記第２光源と前記第１反射プリズムの前記傾斜面を結ぶ線と平行または略平行である表示装置。
【請求項１１】
前記第２反射プリズムの傾斜面の長手方向が、前記第１光源と前記第２反射プリズムの前記傾斜面を結ぶ線と平行または略平行である、請求項１０に記載の表示装置。
【請求項１２】
端面から入射した光を伝搬し、プリズムで反射させ、主面から出射させる導光板と、
前記導光板の端面に光を入射させる光源と、
前記導光板の主面側に設けられるとともに、その主面から出射する光を透過させる透光部と、
を備え、
前記光源は、点灯時期と消灯時期が互いに異なる複数の光源で構成し、
前記プリズムは、
複数の前記光源に各々対応して設置された前記プリズムの長手方向が、そのプリズムが対応しない方の光源とそのプリズムとを結ぶ線と平行または略平行になっている、
表示装置。
【発明の詳細な説明】
【技術分野】
【０００１】
本発明は、例えば、電気機器等において文字や図形、絵柄等の情報を表示する表示装置に関する。
【背景技術】
【０００２】
従来、この種の表示装置としては、例えば特許文献１に開示されているものがある。
【０００３】
図１２（ａ）に示す表示装置は、導光板１０１と、ＬＥＤなどの光源１０２，１０４と、レンズ１０３，１０５と、で構成されている。導光板１０１の底面には、微細な反射プリズム１０６の集合体と微細な反射プリズム１０７の集合体とが形成されている。
【０００４】
光源１０２からの光は、レンズ１０３を介して導光板１０１に入光する。光源１０４からの光は、レンズ１０５を介して導光板１０１に入光する。レンズ１０３，１０５は、光源１０２，１０４からの光を拡散し、均一な強度で導光板１０１の側面から光が入射するような役割をする。光源１０２，１０４の何れも、導光板１０１の側面に沿って配置された複数の光源で構成されている。
【０００５】
反射プリズム１０６の集合体は、図１２（ｂ）（ｃ）に示すように、導光板１０１の光源１０２からの光が入光する辺とほぼ平行な方向で、例えば、絵柄としての文字「Ａ」の形状に沿って形成されている。反射プリズム１０７の集合体は、導光板１０１の光源１０４からの光が入光する辺とほぼ平行な方向で、例えば、絵柄としての文字「Ｂ」の形状に沿って形成されている。
【０００６】
光源１０２から出射した光１０８は、レンズ１０３を通って導光板１０１の側面から入光し、導光板１０１内を反射しながら伝播して反射プリズム１０６の斜面１０９で反射され、導光板１０１から正面方向へ出射する。これにより、導光板１０１を正面から見ると、主面に図１２（ｂ）に示すように文字「Ａ」が表示される。
【０００７】
光源１０４から出射した光は、レンズ１０５を通って導光板１０１の側面から入光し、導光板１０１内を反射しながら伝播して反射プリズム１０７の斜面で反射され、導光板１０１から正面方向へ出射する。これにより、導光板１０１を正面から見ると、主面に、図１２（ｄ）に示すように、文字「Ｂ」が表示される。
【０００８】
このように、光源１０２を点灯させるか、光源１０４を点灯させるかによって、導光板１０１に表示する絵柄を切り替えることができる。
【０００９】
さらに、導光板１０１の光出射側に、図１２（ｃ）に示すように、光散乱性を有するシート１１１を設置すると、光源１０２，１０４の何れも点灯させ無い状態で、かつ導光板１０１の主面に外光が入射しても、シート１１１が外光を散乱反射する。これにより、シート１１１を通して導光板１０１が見えにくくなるように構成できる。
【先行技術文献】
【特許文献】
【００１０】
【特許文献１】特開２０１６−１８０８２３号公報
【発明の概要】
【発明が解決しようとする課題】
【００１１】
光源１０２から反射プリズム１０６で反射して出射する光は、導光板１０１の正面方向へ向かう光ばかりではない。反射プリズム１０６に斜めに入射する光１１０も存在する。この光は反射プリズム１０６で反射して、正面から外れた斜め方向へ進んでいく。この正面方向から外れた光は、導光板１０１の正面方向からは見えない。
【００１２】
同様に、光源１０４から反射プリズム１０７で反射して出射する光も、導光板１０１の正面方向へ向かう光ばかりではない。反射プリズム１０７に斜めに入射する光が存在する。この光は反射プリズム１０７で反射して、正面から外れた斜め方向へ進んでいく。この正面方向から外れた光は、導光板１０１の正面方向からは見えない。
【００１３】
ここで、光源１０４を点灯させて文字「Ｂ」を表示させている場合を例に挙げて説明する。
【００１４】
この場合、図１３（ａ）に示すように、文字「Ａ」を表示させるための反射プリズム１０６に光源１０４から斜めに入射する光が存在しているため、図１３（ｂ）に示すように、反射プリズム１０６から斜め方向へ反射した光が、シート１１１で散乱反射されて導光板１０１の正面方向から見える。つまり、図１２（ａ）に示すように、文字「Ｂ」の表示中に不要な絵柄の文字「Ａ」が薄く見えてしまう問題が生じる。
【００１５】
本発明は、上記従来の課題を解決するもので、拡散板の正面側に光を散乱拡散するシートを設けた場合であっても、表示絵柄を鮮明に表示できる表示装置を提供することを目的とする。
【課題を解決するための手段】
【００１６】
本発明の表示装置は、主面と、この主面に対向した底面と、前記主面と前記底面との間に形成された第１，第２側面と、を有し、前記底面に、前記第１側面から入射した光を前記主面の側に向かって反射する傾斜面が形成された第１反射プリズムと、前記第２側面から入射した光を前記主面の側に向かって反射する傾斜面が形成された第２反射プリズムと、が形成された導光板と、前記導光板の前記第１側面に光を入射する第１光源と、前記導光板の前記第２側面に光を入射する第２光源と、前記導光板の前記主面の側に配置され、前記主面からの出射光を透過させ散乱させる透光部と、が設けられ、前記第１反射プリズムの前記傾斜面の長手方向が、前記第２光源と前記第１反射プリズムの前記傾斜面とを結ぶ線と平行または略平行である、ことを特徴とする。
【発明の効果】
【００１７】
この構成によれば、導光板の幅に比べて光源の幅を狭くすることによって反対側の光源からプリズムに入射する光を少なくでき、導光板の光源の一方を発光させたときに、表示したくない方のプリズムからの反射光が導光板から出射しにくくすることができる。従って、表示したくない方の情報が重なって表示されることがない表示装置が得られる。
【図面の簡単な説明】
【００１８】
【図１】本発明の実施の形態１に係る表示装置の（ａ）平面図と（ｂ）断面図および（ｃ）プリズムの拡大斜視図
【図２】同実施の形態における（ａ）第１反射プリズム４の第１傾斜面１４で反射された絵柄表示状態と（ｂ）第２反射プリズム５の第１傾斜面１４で反射された絵柄表示状態を説明する図
【図３】同実施の形態における（ａ）第１反射プリズム４の長手方向と第２光源３と第１反射プリズム４の中心とを結ぶ線と平行である場合の説明図と（ｂ）第２反射プリズム５の長手方向と第１光源２と第２反射プリズム５の中心とを結ぶ線と平行である場合の説明図
【図４】同実施の形態における（ａ）第１光源２の点灯状態の平面図と（ｂ）断面図および（ｃ）第１光源２と第２光源３からの光の説明図
【図５】同実施の形態における（ａ）（ｂ）第１，第２反射プリズム４，５の配置場所の説明図
【図６】同実施の形態おける（ａ）（ｂ）第１，第２反射プリズム４，５の形状の説明図
【図７】同実施の形態おける第１，第２反射プリズム４，５の別の形状を示す拡大斜視図
【図８】本発明の実施の形態２の（ａ）（ｂ）第１，第２反射プリズム４，５の配置場所の説明図
【図９】本発明の実施の形態３における導光板の斜視図
【図１０】本発明の実施の形態４の表示装置の平面図
【図１１】同実施の形態の（ａ）（ｂ）表示状態の説明図
【図１２】従来の表示装置の説明図
【図１３】従来の表示装置の説明図
【発明を実施するための形態】
【００１９】
以下、本発明の各実施の形態を図面に基づいて説明する。
【００２０】
（実施の形態１）
図１〜図７は、本発明の実施の形態１を示す。
図１（ａ）は表示装置の正面図を示し、図１（ｂ）は断面図を示す。
【００２１】
この表示装置は、導光板１と、ＬＥＤなどの第１，第２光源２，３と、光を透過させ散乱させる透光部１１と、を備えている。
【００２２】
導光板１は、主面１ａと、この主面１ａに対向した底面１ｂと、主面１ａと底面１ｂの間に形成された第１，第２側面１ｃ，１ｄと、を有している。底面１ｂには、第１，第２反射プリズム４，５が形成されている。図１（ｂ）にも示すように、第１，第２反射プリズム４，５は何れも、導光板１の底面１ｂに形成された凹部からなり、底面１ｂとの角度がθａの第１傾斜面１４と、底面１ｂとの角度がθｂの第２傾斜面１５と、を有している。
【００２３】
この実施の形態では、導光板１の第１側面１ｃの幅Ｗ１よりも狭い幅Ｗ２の第１光源２が設けられている。導光板１の第２側面１ｄの幅Ｗ３よりも狭い幅Ｗ４の第２光源３が設けられている。これに対して、従来例を説明した図１２では、複数の光源１０２で構成される一方の光源の幅Ｗ５、および複数の光源１０４で構成される他の光源の幅Ｗ６は、何れも導光板１０１の側面の幅Ｗ１と略同じで、導光板１０１の側面の全幅をできるだけ均一に照明するように構成されている。
【００２４】
図２（ａ）に示すように、第１光源２は、導光板１の第１側面１ｃに向かって光を照射する。第１側面１ｃから導光板１の内部に導入された光１７は導光板１の内部を伝搬する。
【００２５】
図２（ｂ）に示すように、第２光源３は、導光板１の第２側面１ｄに向かって光を照射する。第２側面１ｄから導光板１の内部に導入された光１８は導光板１の内部を伝搬する。
【００２６】
複数の第１反射プリズム４は、第１光源２からの光を第１傾斜面１４で受けて導光板１の主面１ａの側に反射するよう配置されている。複数の第２反射プリズム５は、第２光源３からの光を第１傾斜面１４で受けて導光板１の主面１ａの側に反射するよう配置されている。
【００２７】
図１（ａ）に示すように、第１光源２側から見た、第２反射プリズム５が配置されている領域の幅をＷ２ｐとし、第２光源３側から見た、第１反射プリズム４が配置されている領域の幅をＷ４ｐとする。また、第２反射プリズム５の長手方向に沿った線をＬ５とし、第１光源２の発光部分の端と反射プリズム５の反射面の中心とを結ぶ線をＬ２−５とし、線Ｌ５と線Ｌ２−５とのなす角度をθ＿Ｌ２−５とする。同様に、第１反射プリズム４の長手方向に沿った線をＬ４とし、第２光源３の発光部分の端と、反射プリズム４の反射面の中心とを結ぶ線をＬ４−４とし、線Ｌ４と線Ｌ４−４とのなす角度をθ＿Ｌ４−４とする。
【００２８】
このように構成したため、図２（ａ）に示すように、第１光源２を点灯して第２光源３を消灯した状態では、各第１反射プリズム４の第１傾斜面１４で光１７が反射されて、図１（ｂ）に示すように、導光板１の主面１ａから出射し、透光部１１で散乱して表示される。
【００２９】
図２（ｂ）に示すように、第２光源３を点灯して第１光源２を消灯した状態では、各第２反射プリズム５の第１傾斜面１４で光１８が反射されて、導光板１の主面１ａから出射し、透光部１１で散乱して表示される。
【００３０】
さらに、第１反射プリズム４は、第１傾斜面１４の長手方向Ｆ４が、図３（ａ）に示すように、第２光源３と第１反射プリズム４の第１傾斜面１４のプリズム中心を結ぶ線１９と平行に配置されている。第２反射プリズム５は、第１傾斜面１４の長手方向Ｆ５が、図３（ｂ）に示すように、第１光源２と第２反射プリズム５の第１傾斜面１４のプリズム中心を結ぶ線２０と平行に配置されている。
【００３１】
この場合の導光板１での光の挙動を、図４を用いて説明する。
図４（ａ）（ｂ）は、第１光源２を点灯して第２光源３を消灯したときの光の伝播の様子を示す。
【００３２】
導光板１の第１側面１ｃの幅Ｗ１よりも狭い幅Ｗ２の第１光源２から出射した光１７は、導光板１の第１側面１ｃから入光し、導光板１内を伝播する。第１反射プリズム４の第１傾斜面１４で反射された光１７は、導光板１の正面から外れるが導光板１の主面１ａ側へ出射する。この光１７は、導光板１の上に設置された透光部１１により散乱拡散されるので、正面からこの光１７を認識できる。このような現象が、第１反射プリズム４の集合全体で生じるので、集合体としての絵柄を認識できる。
【００３３】
第２光源３を点灯して第１光源２を消灯したときの光１８は、導光板１の第２側面１ｄから入光し、図４（ｃ）に示すように第１反射プリズム４へ向かう。前述のように、第１反射プリズム４の長手方向Ｆ４は、第１反射プリズム４と第２光源３とを結ぶ線１９と平行にしているため、第２光源３からの光１８は、第１反射プリズム４の第１傾斜面１４で反射されず、あるいは反射されたとしてもごくわずかな角度変化しか生じないので、第１反射プリズム４に到達後も導光板１の主面１ａから光１８が飛び出さない。
【００３４】
同様に、第１光源２を点灯して第２光源３を消灯したときの光１７は、導光板１の第１側面１ｃから入光し第２反射プリズム５へ向かう。しかし、第２反射プリズム５の長手方向Ｆ５は、第２反射プリズム５と第１光源２とを結ぶ線１９と平行にしているため、第１光源２からの光１７は、第２反射プリズム５の第１傾斜面１４で反射されず、あるいは反射されたとしてもごくわずかな角度変化しか生じないので、第２反射プリズム５に到達後も導光板１の主面１ａから光１７が飛び出さない。
【００３５】
このように、第１，第２反射プリズム４，５の長手方向Ｆ４，Ｆ５が、そのプリズムが対応しない方の光源とそのプリズムとでできる方向と平行になるように配置することにより、不要な絵柄が表示されてしまうことを防ぐことができる。
【００３６】
図５（ａ）に示すように、第１，第２反射プリズム４，５は、第１，第２光源２，３の中心を結ぶ直線上には配置しない。これは、図５（ｂ）に示すように、光源２，３同士を結ぶ直線上にプリズム４，５を設置すると、いずれの光源２，３からの光も、第１傾斜面１４で反射せず、導光板１から出射することができなくなるためである。
【００３７】
なお、第１，第２反射プリズム４，５のプリズム形状は、図６（ａ）（ｂ）に示すような形状が望ましい。図６（ａ）はプリズムの断面形状を示す図であり、図６（ｂ）はプリズムを第１傾斜面１４の側から見た図で、プリズムの長さ方向の形状を示している。θｃ１，θｃ２は、プリズムの両側の側面（側壁）２１，２１の角度である。
【００３８】
プリズムの第１傾斜面１４へ向かう光を導光板１の主面１ａから出射させ、プリズムの側面２１に当たった光が導光板１から出射させないためには、以下の関係が必要である。
【００３９】
θａ ＜θｃ１
θａ ＜θｃ２
【００４０】
さらに、以下が望ましい。
θｃ１ ＞７０°
θｃ２ ＞７０°
【００４１】
プリズムの両側の側面２１，２１の角度θｃ１，θｃ２が７０°より小さくなると、側面（側壁）２１に当たった光が導光板１の主面１ａ側へ出射する成分が生じる。
【００４２】
また、プリズムの両側の側面２１，２１の角度θｃ１，θｃ２は９０°未満が望ましい。前記角度θｃ１，θｃ２が９０°以上だと、成形で大量生産しようとしたときに、金型が抜けない問題が生じ、成形で大量生産できない。
【００４３】
さらに、前記角度θａは、
３５°＜ θａ＜ ６５°
が好ましい。前記角度θａがこの範囲外の場合には、導光板１に入射した光を導光板１の主面１ａ方向に反射する作用が極めて小さくなってしまう。
【００４４】
第１，第２反射プリズム４，５は、断面が図１（ｃ）に示した三角形のプリズムで無くても反射面を有しておればよく、図７に示すように側面２１が複数面であっても良い。断面が台形でもよい。また、反射面がやや曲面を持っていてもよい。
【００４５】
このように第１反射プリズム４の長手方向Ｆ４と、第２光源３の中心と第１反射プリズム４の中心とを結ぶ線１９とが平行であり、しかも第２光源３の幅Ｗ４が、導光板１の第２側面１ｄの幅Ｗ３よりも狭い。これにより、第２光源３から第１反射プリズム４に斜めに入射する光が非常に少なくなって、文字「Ｂ」の表示中に不要な絵柄の文字「Ａ」が薄く見えてしまう問題を回避することができ、文字「Ｂ」を鮮明に表示できる。
【００４６】
また、第２反射プリズム５の長手方向Ｆ５と、第１光源２の中心と第２反射プリズム５の中心とを結ぶ線２０とが平行であり、しかも第１光源２の幅Ｗ２が、導光板１の第１側面１ｃの幅Ｗ１よりも狭い。これにより、第１光源２から第２反射プリズム５に斜めに入射する光が非常に少なくなって、文字「Ａ」の表示中に不要な絵柄の文字「Ｂ」が薄く見えてしまう問題を回避することができ、文字「Ａ」を鮮明に表示できる。
【００４７】
なお、導光板１の第１側面１ｃの幅Ｗ１よりも第１光源２の幅Ｗ２が狭い、導光板１の第１側面１ｄの幅Ｗ３よりも第２光源３の幅Ｗ４が狭いとは、具体的には、
Ｗ１／２ ≧Ｗ２
Ｗ３／２ ≧Ｗ４
が好ましい。幅Ｗ２がＷ１／２より大きいと、その中心へプリズムを向けても、光源群の端のほうに位置する光源からの光がプリズムで反射し導光板１から出射して不要な絵柄として見えてしまう。幅Ｗ４がＷ３／２より大きいと、その中心へプリズムを向けても、光源群の端のほうに位置する光源からの光がプリズムで反射し導光板１から出射して不要な絵柄として見えてしまう。
【００４８】
さらに、プリズム表示領域の大きさに対する、光源の大きさが制限されていることが望ましい。具体的には、第１光源２の幅Ｗ２と、第２反射プリズム５が配置されている領域の幅Ｗ２ｐ、および、第２光源４の幅Ｗ４と、第１反射プリズム４が配置されている領域の幅Ｗ４ｐとの間に以下の関係が成り立つことが望ましい。
Ｗ２／Ｗ２ｐ ≦１／４
Ｗ４／Ｗ４ｐ ≦１／４
【００４９】
光源の幅が大きいと、光源の端の方から出射する光が、表示したくない方の反射プリズムに斜めに入射することになり、この光が導光板から出射してしまい、不要な絵柄が表示されてしまうためである。
【００５０】
さらに、光源の端と表示させたくない方の反射プリズムとを結ぶ線分と、反射プリズムの長辺とのなす角度が制限されていることが望ましい。具体的には、第２反射プリズム５の長手方向に沿った線をＬ５とし、第１光源２の発光部分の端と反射プリズム５の反射面の中心とを結ぶ線をＬ２−５とし、線Ｌ５と線Ｌ２−５とのなす角度をθ＿Ｌ２−５とする。同様に、第１反射プリズム４の長手方向に沿った線をＬ４とし、第２光源３の発光部分の端と反射プリズム４の反射面の中心とを結ぶ線をＬ４−４とし、線Ｌ４と線Ｌ４−４とのなす角度をθ＿Ｌ４−４としたとき、以下の関係が成り立つことが望ましい。
｜θ＿Ｌ２−５｜ ≦ ３０°
｜θ＿Ｌ４−４｜ ≦ ３０°
【００５１】
これらの角度が大きいと、表示したくない方の光源からの光を導光板から出射してしまい、不要な絵柄が表示されてしまうためである。
【００５２】
（実施の形態２）
図８は本発明の実施の形態２に係る表示装置において、各絵柄を表示する光源が複数個ある場合のプリズム配置を示す。
【００５３】
第１光源２は、導光板１の第１側面１ｃに沿って互いに近接して配置された光源２ａ，２ｂで構成されている。光源２ａ，２ｂで構成された第１光源２の第１側面１ｃ方向の幅Ｗ２は、導光板１の第１側面１ｃの幅Ｗ１よりも狭い。第２光源３は、導光板１の第２側面１ｄに沿って互いに近接して配置された光源３ａ，３ｂで構成されている。光源３ａ，３ｂで構成された第２光源３の第２側面１ｄ方向の幅Ｗ４は、導光板１の第２側面１ｄの幅Ｗ３よりも狭い。
【００５４】
第１反射プリズム４の長手方向Ｆ４は、図８（ａ）に示すように、光源３ａ，３ｂの間の第２光源３の中心１３と第１反射プリズム４の中心とを結ぶ線１９と平行に構成されている。第２反射プリズム５の長手方向Ｆ５は、図８（ｂ）に示すように、光源２ａ，２ｂの間の第１光源２の中心１２と第２反射プリズム５の第１傾斜面１４の中心とを結ぶ線２０と平行に構成されている。その他は実施の形態１と同じである。
【００５５】
なお、導光板１の第１側面１ｃの幅Ｗ１よりも光源２ａ，２ｂの幅Ｗ２が狭い、導光板１の第１側面１ｄの幅Ｗ３よりも光源３ａ，３ｂの幅Ｗ４が狭いとは、具体的には、
Ｗ１／２ ≧Ｗ２
Ｗ３／２ ≧Ｗ４
が好ましい。幅Ｗ２がＷ１／２より大きいと、その中心へプリズムを向けても、光源群の端のほうに位置する光源からの光がプリズムで反射し導光板１から出射して不要な絵柄として見えてしまう。Ｗ幅４がＷ３／２より大きいと、その中心へプリズムを向けても、光源群の端のほうに位置する光源からの光がプリズムで反射し導光板１から出射して不要な絵柄として見えてしまう。
【００５６】
このように構成したため、実施の形態１で説明したと同じように不要な絵柄を表示させない表示装置を実現できる。
【００５７】
実施の形態１で記載したと同じく、プリズム表示領域の大きさに対する、光源の大きさが制限されていることが望ましい。また、光源の端と表示させたくない方の反射プリズムとを結ぶ線と、反射プリズムの長辺（長手方向に沿う辺）と、のなす角度が制限されていることが望ましい。
【００５８】
（実施の形態３）
図９は本発明の実施の形態３を示す。
【００５９】
上記の各実施の形態の導光板１は平板形状で、第１，第２側面１ｃ，１ｄから第１，第２光源２，３からの光が直接に入射したが、この実施の形態３の導光板１では、図９に示すように、入光部２２ａ，２２ｂを介して第１，第２光源２，３からの光が直接に入射している点が異なっている。
【００６０】
導光板１は立体的に曲がった入光部２２ａ，２２ｂを有する。そして、この入光部２２ａ，２２ｂの先端（幅Ｗ５ａ、Ｗ６ａ）から光源２，３の光を導光板１の本体部分へ入光するよう構成している。
【００６１】
この場合、導光板１には仮想的な光源があるとみなせる。導光板１の入光部２２ａの付け根部分の幅Ｗ５ｂは、導光板１の第１側面１ｃの幅Ｗ４よりも狭い。導光板１の入光部２２ｂの付け根部分の幅Ｗ６ｂは、導光板１の第２側面１ｄの幅Ｗ３よりも狭い。その他は実施の形態１，２と同様である。
【００６２】
そのため、第１反射プリズム４の長手方向Ｆ４が、導光板１の入光部２２ｂの付け根部分の中心２３と第１反射プリズム４の中心とを結ぶ線と平行となるように構成し、第２反射プリズム５の長手方向Ｆ５が、導光板１の入光部２２ａの付け根部分の中心２４と第２反射プリズム５の中心とを結ぶ線と平行となるように構成することによって、実施の形態１で説明したと同じように不要な絵柄を表示させない表示装置を実現できる。
【００６３】
なお、幅Ｗ５ｂは幅Ｗ４より狭い、幅Ｗ６ｂは幅Ｗ３より狭いとは、具体的には、
Ｗ４／２ ≧Ｗ５ｂ
Ｗ３／２ ≧Ｗ６ｂ
が好ましい。幅Ｗ５ｂがＷ４／２より大きいと、その中心へプリズムを向けても、光源群の端のほうに位置する光源からの光がプリズムで反射し導光板１から出射して不要な絵柄として見えてしまう。幅Ｗ６ｂがＷ３／２より大きいと、その中心へプリズムを向けても、光源群の端のほうに位置する光源からの光がプリズムで反射し導光板１から出射して不要な絵柄として見えてしまう。
【００６４】
実施の形態１で記載したと同じく、プリズム表示領域の大きさに対する、光源の大きさが制限されていることが望ましい。また、光源の端と表示させたくない方の反射プリズムとを結ぶ線と、反射プリズムの長辺（長手方向に沿う辺）と、のなす角度が制限されていることが望ましい。
【００６５】
（実施の形態４）
図１０と図１１は本発明の実施の形態４を示す。
【００６６】
上記の各実施の形態では、導光板１の第１側面１ｃに第１光源２からの光が入射し、第１側面１ｃとは別の第２側面１ｄから第２光源３からの光が直接に入射していたが、この実施の形態４では、図１０、図１１に示すように、導光板１の第１側面１ｃに第１，第２光源２，３からの光が入射している点だけが、実施の形態１〜３とは異なり、その他は同じである。
【００６７】
つまり、互いに離れた第１，第２光源２，３を、導光板１の第１側面１ｃに沿って配置し、第１，第２光源２，３からの光を導光板１の第１側面１ｃに入射させる。第１，第２光源２，３の幅Ｗ２，Ｗ４は、それぞれ第１側面１ｃの幅Ｗ１よりも狭い。
【００６８】
第１，第２反射プリズム４，５は、上記の各実施の形態と同様に、プリズムの長手方向Ｆ４，Ｆ５が、そのプリズムが対応しない方の光源とそのプリズムとでできる方向と平行となるように形成されている。図１１（ａ）は第１光源２からの光が第１反射プリズム４の第１傾斜面１４で反射している表示状態を示している。図１１（ｂ）は第２光源２からの光が第２反射プリズム５の第１傾斜面１４で反射している表示状態を示している。
【００６９】
第１反射プリズム４は、第１反射プリズム４の長手方向Ｆ４と、第２光源３の中心と第１反射プリズム４の中心とを結ぶ線１９とが平行であるように形成されている。第２反射プリズム５は、第２反射プリズム５の長手方向Ｆ５と、第１光源２の中心と第２反射プリズム５の中心とを結ぶ線２０とが平行であるように形成されている。
【００７０】
しかも第２光源３の幅Ｗ４が、導光板１の第１面１ｃの幅Ｗ１よりも狭いため、第２光源３から第１反射プリズム４に斜めに入射する光が非常に少なく、文字「Ｂ」の表示中に不要な絵柄の文字「Ａ」が薄く見えてしまう問題を回避することができ、文字「Ｂ」を鮮明に表示できる。同様に、文字「Ａ」の表示中に不要な絵柄の文字「Ｂ」が薄く見えてしまう問題を回避することができ、文字「Ａ」を鮮明に表示できる。
【００７１】
このように構成したため、実施の形態１で説明したと同じように不要な絵柄を表示させない表示装置を実現できる。
【００７２】
上記の各実施の形態の第１，第２反射プリズム４，５は、プリズムの長手方向Ｆ４，Ｆ５が、そのプリズムが対応しない方の光源とそのプリズムとでできる方向と平行に形成されていたが、第１，第２反射プリズム４，５は、プリズムの長手方向Ｆ４，Ｆ５が、そのプリズムが対応しない方の光源とそのプリズムとでできる方向と略平行に形成されていてもよい。具体的には、第１，第２反射プリズム４，５は、プリズムの長手方向Ｆ４，Ｆ５と、そのプリズムが対応しない方の光源とそのプリズムとでできる方向との角度が３０°以下であればよい。３０°以上になると、対応しないほうの光源からの光がプリズムの第１傾斜面で反射後に導光板から出射してしまう成分が生じてくるためである。
【００７３】
上記の各実施の形態の第１，第２反射プリズム４，５は共に、プリズムの長手方向Ｆ４，Ｆ５が、そのプリズムが対応しない方の光源とそのプリズムとでできる方向と平行または略平行に形成したため、第１反射プリズム４で表示される絵柄の表示状態において、第２反射プリズム５で表示される絵柄が薄く表示されることがなく、しかも、第２反射プリズム５で表示される絵柄の表示状態においても、第１反射プリズム４で表示される絵柄が薄く表示されることが無かったが、第１，第２反射プリズム４，５の一方のプリズムの長手方向が、そのプリズムが対応しない方の光源とそのプリズムとでできる方向と平行または略平行に形成することによって、第１，第２反射プリズム４，５の他方のプリズムで表示される絵柄の表示状態では、不要な絵柄が薄く表示されるが、前記一方のプリズムで表示される絵柄の表示状態の場合に限って、不要な方の絵柄が表示されない良好な表示状態とすることもできる。
【００７４】
なお、幅Ｗ２，Ｗ４は幅Ｗ１より狭いとは、
具体的には、
Ｗ１／２ ≧Ｗ２
Ｗ１／２ ≧Ｗ４
が好ましい。幅Ｗ２，Ｗ４がＷ１／２より大きいと、その中心へプリズムを向けても、光源群の端のほうに位置する光源からの光がプリズムで反射し導光板１から出射して不要な絵柄として見えてしまう。
【００７５】
実施の形態１で記載したと同じく、プリズム表示領域の大きさに対する、光源の大きさが制限されていることが望ましい。また、光源の端と表示させたくない方の反射プリズムとを結ぶ線分と、反射プリズムの長辺と、のなす角度が制限されていることが望ましい。
【産業上の利用可能性】
【００７６】
本発明は、例えば、家庭用、産業用、車載向けなどの電気機器や装置などに用いられる表示装置、あるいは入力機能を持ったスイッチの表示部の品質の向上に寄与する。
【符号の説明】
【００７７】
１    導光板
２，３    第１，第２光源
１ａ    導光板１の主面
１ｂ    導光板１の底面
１ｃ，１ｄ    導光板１の第１，第２側面
４    第１反射プリズム
５    第２反射プリズム
１１    透光部
１４    第１，第２反射プリズム４，５の第１傾斜面
１５    第１，第２反射プリズム４，５の第２傾斜面
１９    第２光源３と第１反射プリズム４のプリズム中心を結ぶ線
２０    第１光源２と第２反射プリズム５のプリズム中心を結ぶ線
Ｗ１    導光板１の第１側面１ｃの幅
Ｗ２    第１光源２の幅
Ｗ３    導光板１の第２側面１ｄの幅
Ｗ４    第２光源３の幅
Ｆ４    第１反射プリズム４の長手方向
Ｆ５    第２反射プリズム５の長手方向
【図１】
2019096597.tif 000003
【図２】
2019096597.tif 000004
【図３】
2019096597.tif 000005
【図４】
2019096597.tif 000006
【図５】
2019096597.tif 000007
【図６】
2019096597.tif 000008
【図７】
2019096597.tif 000009
【図８】
2019096597.tif 000010
【図９】
2019096597.tif 000011
【図１０】
2019096597.tif 000012
【図１１】
2019096597.tif 000013
【図１２】
2019096597.tif 000014
【図１３】
2019096597.tif 000015